(57)【要約】【課題】One to Oneで配信された広告入りの写真をプリントすることのできるデジタル写真プリントシステムを提供する。【解決手段】デジタル写真プリント装置２は、ユーザのユーザ認証に成功すると、広告配信サーバ３に広告データの配信を要求する。広告配信サーバ３は、ユーザ認証に成功したユーザのユーザ属性情報に適合する広告データを検索し、検索した広告データをデジタル写真プリント装置２に送信する。デジタル写真プリント装置２は、広告配信サーバ３から広告データを受信すると、ユーザがプリントする写真データと広告データを合成したデジタル写真をプリントする。【選択図】図１
2010049423.tif 000002
【特許請求の範囲】
【請求項１】
デジタル写真をプリントする装置と広告データを配信するサーバとから構成されるデジタル写真プリントシステムであって、前記装置は、前記装置を利用するユーザをユーザ認証するユーザ認証手段と、ユーザ認証に成功すると、前記サーバに広告データの配信を要求する広告データ要求手段と、写真データを取得する写真データ取得手段と、前記サーバから受信した広告データと写真データを合成した合成データし、前記合成データをプリントするプリント手段を備え、前記サーバは、複数の前記広告データが記憶されている広告データベースと、前記装置から前記広告データの配信要求を前記装置から受けたとき、前記装置がユーザ認証に成功した前記ユーザのユーザ属性情報を取得するユーザ属性情報取得手段と、前記ユーザ属性情報に適合する前記広告データを前記広告データベースから検索し、検索した前記広告データを装置に送信する広告データ検索手段を備えたことを特徴とするデジタル写真プリントシステム。
【請求項２】
請求項１に記載のデジタル写真プリントシステムであって、前記装置の前記ユーザ認証手段は、前記ユーザが所持するＩＣカードを利用してユーザ認証する手段であることを特徴とするデジタル写真プリントシステム。
【請求項３】
請求項２に記載のデジタル写真プリントシステムであって、前記ＩＣカードは前記ユーザ属性情報を記憶し、前記サーバの前記ユーザ属性情報取得手段は、前記装置に前記ユーザ属性情報の読み取りを要求し、前記装置が前記ＩＣカードから読み取った前記ユーザ属性情報を前記装置から取得する手段で、前記装置には、前記ＩＣカードから前記ユーザ属性情報を読み取り、前記ユーザ属性情報を前記サーバに送信する手段が備えられていることを特徴とするデジタル写真プリントシステム。
【請求項４】
請求項２に記載のデジタル写真プリントシステムであって、前記サーバの前記ユーザ属性情報取得手段は、前記ユーザ属性情報を記憶したデータベースサーバから、前記装置がユーザ認証に成功した前記ユーザの前記ユーザ属性情報を取得する手段であることを特徴とするデジタル写真プリントシステム。
【請求項５】
デジタル写真をプリントする装置と広告データを配信するサーバとを利用したデジタル写真プリント方法であって、前記装置が、前記装置を利用するユーザをユーザ認証するステップａと、前記装置が、ユーザ認証に成功すると、前記サーバに広告データの配信を要求するステップｂと、前記サーバが、前記装置から前記広告データの配信要求を前記装置から受けたとき、前記装置がユーザ認証に成功した前記ユーザのユーザ属性情報を取得するステップｃと、前記サーバが、複数の前記広告データが記憶されている広告データベースの中から、前記ユーザ属性情報に適合する前記広告データを検索し、検索した前記広告データを装置に送信するステップｄと、前記装置が、前記サーバから受信した広告データと写真データを合成した合成データし、前記合成データをプリントするステップｅを含むことを特徴とするデジタル写真プリント方法。
【請求項６】
請求項５に記載のデジタル写真プリント方法であって、前記ステップａは、前記装置が、前記ユーザが所持するＩＣカードを利用してユーザ認証するステップであることを特徴とするデジタル写真プリント方法。
【請求項７】
請求項６に記載のデジタル写真プリント方法であって、前記ステップｃは、前記サーバが、前記ＩＣカードに記憶された前記ユーザ属性情報の読み取りを前記装置に要求し、前記装置が前記ＩＣカードから読み取った前記ユーザ属性情報を取得するステップであることを特徴とするデジタル写真プリント方法。
【請求項８】
請求項６に記載のデジタル写真プリント方法であって、前記ステップｃは、前記サーバが、前記ユーザ属性情報を記憶したデータベースサーバから、前記装置がユーザ認証に成功した前記ユーザの前記ユーザ属性情報を取得するステップであることを特徴とするデジタル写真プリント方法。
【発明の詳細な説明】
【技術分野】
【０００１】
本発明は、広告入りのデジタル写真をプリントする技術に関し、更に詳しくは、ユーザに適した広告入りのデジタル写真をプリントする技術に関する。
【背景技術】
【０００２】
コンピュータ技術の発展に伴い、写真プリントサービス分野においても、デジタル化の波が進み、プリント料金の無償化又は安価化を目的とし、広告入りの写真をプリントする試みが成されている。
【０００３】
例えば、特許文献１では、予め施設側の又は施設側と提携しているスポンサーの広告／販促訴求の文字や画像を含むテンプレート画像を記録手段に記録し、施設への来場者を撮像し画像と記録手段に記録されたテンプレート画像とを合成し、合成画像を印画紙に印刷して広告入り写真プリントを作成する広告方法が開示されている。
【特許文献１】特開２００２−５１２０４号公報
【発明の開示】
【発明が解決しようとする課題】
【０００４】
施設の来場者のみをターゲットとした場合、施設側の又は施設側と提携しているスポンサーの広告をデジタル写真にプリントすれば、ある程度の広告効果を見込めるかも知れないが、店舗のＤＰＥ（Development, Printing, Enlargement）を利用するユーザは不特定多数なため、広告効果を高めるには、One to Oneで広告を配信する仕組が必要になる。
【０００５】
そこで、本発明は、ユーザの嗜好やニーズに合わせ、One to Oneで配信された広告入りの写真をプリントすることのできるデジタル写真プリントシステムおよびデジタル写真プリント方法を提供することを目的とする。
【課題を解決するための手段】
【０００６】
上述した課題を解決する第１の発明は、デジタル写真をプリントする装置と広告データを配信するサーバとから構成されるデジタル写真プリントシステムであって、前記装置は、前記装置を利用するユーザをユーザ認証するユーザ認証手段と、ユーザ認証に成功すると、前記サーバに広告データの配信を要求する広告データ要求手段と、写真データを取得する写真データ取得手段と、前記サーバから受信した広告データと写真データを合成した合成データし、前記合成データをプリントするプリント手段を備え、前記サーバは、複数の前記広告データが記憶されている広告データベースと、前記装置から前記広告データの配信要求を前記装置から受けたとき、前記装置がユーザ認証に成功した前記ユーザのユーザ属性情報を取得するユーザ属性情報取得手段と、前記ユーザ属性情報に適合する前記広告データを前記広告データベースから検索し、検索した前記広告データを装置に送信する広告データ検索手段を備えたことを特徴とする。
【０００７】
更に、第２の発明は、第１の発明に記載のデジタル写真プリントシステムであって、前記装置の前記ユーザ認証手段は、前記ユーザが所持するＩＣカードを利用してユーザ認証する手段であることを特徴とする。
【０００８】
更に、第３の発明は、第２の発明に記載のデジタル写真プリントシステムであって、前記ＩＣカードは前記ユーザ属性情報を記憶し、前記サーバの前記ユーザ属性情報取得手段は、前記装置に前記ユーザ属性情報の読み取りを要求し、前記装置が前記ＩＣカードから読み取った前記ユーザ属性情報を前記装置から取得する手段で、前記装置には、前記ＩＣカードから前記ユーザ属性情報を読み取り、前記ユーザ属性情報を前記サーバに送信する手段が備えられていることを特徴とする。
【０００９】
更に、第４の発明は、第２の発明に記載のデジタル写真プリントシステムであって、前記サーバの前記ユーザ属性情報取得手段は、前記ユーザ属性情報を記憶したデータベースサーバから、前記装置がユーザ認証に成功した前記ユーザの前記ユーザ属性情報を取得する手段であることを特徴とする。
【００１０】
上述した第１の発明によれば、前記サーバが前記装置に送信する前記広告データは、前記装置がユーザ認証に成功した前記ユーザの前記ユーザ属性情報に適合した内容になるため、ユーザの嗜好やニーズに合わせ、One to Oneで配信された広告入りの写真を前記装置においてプリントすることができるようになる。
【００１１】
更に、第２の発明によれば、前記装置は、交通用途や電子マネーの用途において広く普及しているＩＣカードを用いて、前記ユーザをユーザ認証することができるようになる。
【００１２】
前記サーバが前記広告データの検索に利用する前記ユーザ属性情報は、第３の発明のように、前記ユーザが所持する前記ＩＣカードに記憶されていてもよく、また、第４の発明のように、ネットワーク上のデータベースサーバに記憶されていてもよい。
【００１３】
例えば、前記ＩＣカードを会員証とすれば、会員証に記憶されたユーザに係わる情報（例えば、性別、年齢等）をユーザ属性情報として利用できる。また、前記ユーザがＷｅｂページを閲覧した閲覧履歴情報を記憶しているデータベースサーバがあれば、この閲覧履歴情報をユーザ属性情報として利用でき、また、前記ユーザがネットワーク上の仮想店舗で商品を購入した購買履歴情報を記憶しているデータベースサーバがあれば、この購買履歴情報をユーザ属性情報として利用できる。
【００１４】
更に、第５の発明は、デジタル写真をプリントする装置と広告データを配信するサーバとを利用したデジタル写真プリント方法であって、前記装置が、前記装置を利用するユーザをユーザ認証するステップａと、前記装置が、ユーザ認証に成功すると、前記サーバに広告データの配信を要求するステップｂと、前記サーバが、前記装置から前記広告データの配信要求を前記装置から受けたとき、前記装置がユーザ認証に成功した前記ユーザのユーザ属性情報を取得するステップｃと、前記サーバが、複数の前記広告データが記憶されている広告データベースの中から、前記ユーザ属性情報に適合する前記広告データを検索し、検索した前記広告データを装置に送信するステップｄと、前記装置が、前記サーバから受信した広告データと写真データを合成した合成データし、前記合成データをプリントするステップｅを含むことを特徴とする。
【００１５】
更に、第６の発明は、第５の発明に記載のデジタル写真プリント方法であって、前記ステップａは、前記装置が、前記ユーザが所持するＩＣカードを利用してユーザ認証するステップであることを特徴とする。
【００１６】
更に、第７の発明は、第６の発明に記載のデジタル写真プリント方法であって、前記ステップｃは、前記サーバが、前記ＩＣカードに記憶された前記ユーザ属性情報の読み取りを前記装置に要求し、前記装置が前記ＩＣカードから読み取った前記ユーザ属性情報を取得するステップであることを特徴とする。
【００１７】
更に、第８の発明は、第６の発明に記載のデジタル写真プリント方法であって、前記ステップｃは、前記サーバが、前記ユーザ属性情報を記憶したデータベースサーバから、前記装置がユーザ認証に成功した前記ユーザの前記ユーザ属性情報を取得するステップであることを特徴とする。
【００１８】
上述した第５の発明から第８の発明によれば、上述した第１の発明から第４の発明と同様の効果が得られる。
【発明の効果】
【００１９】
このように、上述した本発明によれば、ユーザの嗜好やニーズに合わせ、One to Oneで配信された広告入りの写真をプリントすることのできるデジタル写真プリントシステムおよびデジタル写真プリント方法を提供できる。
【発明を実施するための最良の形態】
【００２０】
ここから、本発明に係わるデジタル写真プリントシステムおよびデジタル写真プリント方法について、図を参照しながら詳細に説明する。図１は、本発明に係わるデジタル写真プリントシステム１の構成を説明する図である。
【００２１】
図１に図示したデジタル写真プリントシステム１は、ユーザの嗜好やニーズに合わせ、One to Oneで配信された広告が入ったデジタル写真をプリントするために考案されたシステムで、セルフ型のデジタル写真プリント装置２と、One to Oneで選択された広告をデジタル写真プリント装置２に配信する広告配信サーバ３とから少なくとも構成される。
【００２２】
デジタル写真プリント装置２は、ユーザがデジタルカメラなどで撮影し、メモリカードなどのデータ記憶メディアに記憶された写真データを印刷するために、店舗やＤＰＥなどに設置される装置で、広告配信サーバ３は、デジタル写真プリント装置２のユーザのユーザ属性情報に適合した広告データを配信するために設けられるサーバで、広告配信サーバ３とデジタル写真プリント装置２はネットワーク４を介して接続されている。
【００２３】
まず、図１で図示した写真プリントシステム１を参照しながら、本発明に係わる写真プリント方法について詳細に説明する。図２は、写真プリント方法の手順を示したフロー図である。
【００２４】
本発明に係わる写真プリント方法においては、まず、デジタル写真プリント装置２は、デジタル写真プリント装置２を利用するユーザのユーザ認証を実行する（Ｓ１）。本実施形態において、デジタル写真プリント装置２のユーザは、ユーザを識別するためのユーザ識別子が記憶されたＩＣカード５を所持し、デジタル写真プリント装置２は、ユーザが所持するＩＣカード５からユーザ識別子を読み取り、ユーザのユーザ認証を実行し、ユーザ認証に成功したユーザに対してのみ、デジタル写真プリント装置２の利用を許可する。
【００２５】
デジタル写真プリント装置２がユーザ認証を実行する方法は任意でよい。例えば、ＩＣカード５がパスワードを照合するコマンドに対応していれば、デジタル写真プリント装置２に入力されたパスワードを照合するコマンドをＩＣカード５に送信することで、デジタル写真プリント装置２は、ＩＣカード５を所持するユーザをユーザ認証する。
【００２６】
デジタル写真プリント装置２は、ユーザ認証に成功すると、ユーザ認証に成功したユーザのユーザ識別子を含む広告送信要求メッセージを広告配信サーバ３に送信し、デジタル写真に合成する合成データの送信を要求する（Ｓ２−１）と共に、ユーザが所持するデータ記憶メディアから、プリントする写真データを読み取る（Ｓ２−２）。
【００２７】
広告送信要求メッセージを広告配信サーバ３が受信すると、広告配信サーバ３は、広告データを選択するときに利用するユーザ属性情報を取得する（Ｓ３）。
【００２８】
広告配信サーバ３がユーザ属性情報を取得する方法は、ユーザ属性情報を記憶している装置によって異なる。例えば、ユーザ属性情報がＩＣカード５に記憶されている場合、広告配信サーバ３は、デジタル写真プリント装置２にユーザ属性情報の送信要求するメッセージを送信し、デジタル写真プリント装置２は、ユーザ属性情報を読み取るコマンドをＩＣカード５に送信することで、ＩＣカード５からユーザ属性情報を読み取り、デジタル写真プリント装置２はユーザ属性情報を広告配信サーバ３に送信する。
【００２９】
また、広告配信サーバ３とネットワーク４を介して接続されたデータベースサーバに、ユーザのユーザ属性情報が記憶されている場合、広告配信サーバ３は、広告送信要求メッセージに含まれるユーザ識別子を用いて、データベースサーバに記憶されたユーザ属性情報の中から、広告データの検索に利用するユーザ属性情報を特定する。
【００３０】
広告配信サーバ３は、ユーザ情報属性を取得すると、取得したユーザ属性情報に適合する広告データを検索し、デジタル写真プリント装置２に配信する広告データを決定する（Ｓ４）。
【００３１】
広告配信サーバ３が記憶する広告データのメタデータには、広告データに係わるキーワードが含まれ、広告配信サーバ３は定められたルールに従い、取得したユーザ属性情報にマッチするキーワードを有する広告データを検索する。
【００３２】
例えば、ユーザ属性情報がＩＣカード５に記憶されたユーザのプロファイル（年齢）とするとき、広告データのメタデータに対象年齢が含まれていれば、ユーザの年齢が対象年齢にマッチする広告データを検索し、デジタル写真プリント装置５に送信する広告データを検索結果の中からランダムに決定する。
【００３３】
また、ユーザ属性情報がデータベースサーバに記憶された購買履歴情報やウェブの閲覧履歴情報であれば、広告配信サーバ３は、購買履歴情報（または、閲覧履歴情報）に含まれる特徴語と広告データのキーワードの類似度を演算し、類似度の高い広告データをデジタル写真プリント装置２に送信する広告データとする。
【００３４】
広告配信サーバ３は広告データを選択すると、選択した広告データをデジタル写真プリント装置２に配信する（Ｓ５）。
【００３５】
デジタル写真プリント装置２は、広告配信サーバ３から広告データを受信すると、（Ｓ２−２）でデータ記憶メディアから読み出した写真データと、広告配信サーバ３から受信した広告データを合成した合成データを生成し（Ｓ６）、写真データと広告データを合成した合成データをプリントし（Ｓ７）、ユーザの嗜好やニーズに合わせ、One to Oneで選択された広告データが入ったデジタル写真をプリントする。
【００３６】
ここから、デジタル写真プリントシステム１を構成するデジタル写真プリント装置２および広告配信サーバ３について説明する。
【００３７】
まず、デジタル写真プリント装置２について説明する。図３は、デジタル写真プリント装置２の回路ブロック図で、図４は、デジタル写真プリント装置２の機能ブロック図である。図３に図示したように、デジタル写真プリント装置２は、文字や画像を表示するモニタ２１と、ユーザがデジタル写真プリント装置２を操作するために設けられた操作部２２と、ユーザが所持するＩＣカード５とデータ通信するＩＣカードリーダ２４と、メモリカードとデータ通信するためのメモリカードインターフェース２６と、ネットワーク通信するためのネットワークインターフェース２５と、デジタル写真を印刷するプリント部２３と、デジタル写真プリント装置２を制御する制御部２０を備えている。
【００３８】
デジタル写真プリント装置２のモニタ２１および操作部２２は、タッチパネル付きの液晶ディスプレイなどを意味し、メモリカードインターフェース２６、ネットワークインターフェース２５は、コンピュータに内蔵される汎用的なインターフェースである。
【００３９】
デジタル写真プリント装置２のＩＣカードリーダ２４は、ユーザに所持させるＩＣカード５の種別に対応し、例えば、ユーザに所持させるＩＣカード５が接触型ＩＣカードならば、接触型のＩＣカードリーダ２４がデジタル写真プリント装置２に備えられる。
【００４０】
デジタル写真プリント装置２のプリント部２３は、写真データなどの画像をプリントするプリンタで、昇華型カラープリンタやレザーカラープリンタである。
【００４１】
制御部２０とは、コンピュータのＣＰＵ（Central Processing Unit）やメモリなどから構成されるコンピュータボードで実現され、この制御部２０の不揮発性メモリ（例えば、ＦｅＲＡＭ）には、本発明の装置として機能するためのコンピュータプログラムが実装されている。
【００４２】
また、図４に図示したように、デジタル写真プリント装置２は、制御部２０を動作させるコンピュータプログラムで実現される手段として、デジタル写真プリント装置２を利用するユーザをユーザ認証するユーザ認証手段２００と、ユーザ認証に成功すると、広告配信サーバに広告データの配信を要求する広告データ要求手段２０１と、写真データを取得する写真データ取得手段２０２と、広告サーバから受信した広告データと写真データを合成した合成データする合成データ生成手段２０３と、合成データをプリントするプリント手段２０４を備えている。
【００４３】
デジタル写真プリント装置２に備えられたユーザ認証手段２００は、モニタ２１、操作部２２やＩＣカードリーダ２４などを制御し、ＩＣカード５からユーザ識別子を読み取り、図２のＳ１の内容を実行する手段である。また、広告データ要求手段２０１は、ネットワークインターフェース２５など制御し、ユーザ識別子を含む広告送信要求メッセージを生成することで、図２のＳ２−１の内容を実行する手段である。
【００４４】
デジタル写真プリント装置２に備えられた写真データ取得手段２０２は、モニタ２１、操作部２２およびメモリカードインターフェース２６などを制御し、データ記憶メディア（ここでは、メモリカード）から写真データを読み取ることで、図２のＳ２−２の内容を実行する手段である。
【００４５】
デジタル写真プリント装置２に備えられた合成データ生成手段２０３は、写真データ取得手段２０２がデータ記憶メディア（メモリカード）から読み出した写真データと、広告配信サーバ３から受信した広告データを合成した合成データを生成することで、図２のＳ６の内容を実行する手段で、プリント手段２０４は、プリント部２３に合成データを出力することで、図２のＳ７の内容を実行する手段である。
【００４６】
次に、広告配信サーバ３について説明する。図５は、広告配信サーバ３の回路ブロック図で、図６は広告配信サーバ３の機能ブロック図である。図５に図示したように、広告配信サーバ３は、様々なジャンルの広告データが検索可能なように記憶されたデータ記憶装置３２と、ネットワーク通信するためのネットワークインターフェース３１と、広告配信サーバ３を制御する制御部３０を備えている。
【００４７】
広告配信サーバ３に備えられたデータ記憶装置３２はハードディスクなどのデータ記憶デバイスで、ネットワークインターフェース３１は、コンピュータに内蔵される汎用的なインターフェースである。
【００４８】
広告配信サーバ３のデータ記憶装置３２上には広告データを記憶するためのデータベースが構築され、このデータベースに記憶される広告データには、広告データの本体（文字や画像）に加え、広告データを検索するときに利用されるキーワードを含むメタデータが付与されている。
【００４９】
制御部３０とは、コンピュータのＣＰＵ（Central Processing Unit）やメモリなどから構成されるコンピュータボードで実現され、この制御部３０には、この制御部３０の不揮発性メモリ（例えば、ＦｅＲＡＭ）には、本発明のサーバとして機能するためのコンピュータプログラムが実装されている。
【００５０】
図６に図示したように、広告配信サーバ３は、制御部３０を動作させるコンピュータプログラムで実現される手段として、複数の広告データが記憶されている広告データベース３０３と、デジタル写真プリント装置２から広告送信要求メッセージを受けたとき、広告送信要求メッセージに含まれるユーザ識別子で特定されるユーザのユーザ属性情報を取得するユーザ属性情報取得手段３００と、ユーザ属性情報に適合する広告データを広告データベース３０３から検索する広告データ検索手段３０１と、検索した広告データを装置に送信する広告データ送信手段３０２を備えている。
【００５１】
広告配信サーバ３のユーザ属性情報取得手段３００は、ユーザ属性情報が記憶されている装置から、広告送信要求メッセージに含まれるユーザ識別子に対応するユーザ属性情報を取得し、図２のＳ３の内容を実行する手段である。
【００５２】
広告配信サーバ３の広告データ検索手段３０１は、定められたシナリオに従い、ユーザ属性情報に適合する広告データを広告データベース３０３から検索し、図２のＳ４の内容を実行する手段である。また、広告データ送信手段３０２は、ネットワークインターフェース３１を制御して、広告データをデジタル写真プリント装置２に送信し、図２のＳ４の内容を実行する手段である。
【００５３】
このように、本発明に係わるデジタル写真プリントシステムおよび方法によれば、ユーザがデジタル写真プリント装置でプリントするデジタル写真には、ユーザ属性情報に適合した広告データ、すなわち、ユーザの嗜好やニーズに合わせ、One to Oneで選択された広告データがプリントされるため、広告主はより高い広告効果を期待できるようになる。
【００５４】
更に、本発明では、広告データの選択に利用されるユーザ属性情報として様々な情報を利用でき、当然のことながら、ユーザ属性情報の種類によって、デジタル写真にプリントされる広告は異なる。
【００５５】
例えば、ユーザ属性情報がユーザのプロファイル（年齢、性別、住所）であれば、本実施形態のように、ユーザ属性情報をＩＣカードに記憶させることが可能で、ユーザの年齢に合わせた広告データや、ユーザが住んでいる地域に関する広告データがデジタル写真にプリントされる。
【００５６】
また、ユーザ属性情報がユーザのＷｅｂページの閲覧履歴情報であれば、広告配信サーバは、閲覧履歴情報を収集・記憶しているデータベースサーバにアクセスし、広告送信要求メッセージに含まれるユーザ識別子に対応する閲覧履歴情報に適合する広告データを検索することで、ユーザが興味をもっている内容に合わせた広告データがデジタル写真にプリントされる。
【００５７】
加えて、ユーザ属性情報が商品・サービスを購入した購買履歴情報であれば、広告配信サーバは、購買履歴情報を収集・記憶しているデータベースサーバにアクセスし、広告送信要求メッセージに含まれるユーザ識別子に対応する購買履歴情報に適合する広告データを検索することで、ユーザが頻繁に購入する商品・サービスに関連する広告データがデジタル写真にプリントされる。
【図面の簡単な説明】
【００５８】
【図１】デジタル写真プリントシステムの構成を説明する図。
【図２】写真プリント方法の手順を示したフロー図。
【図３】デジタル写真プリント装置の回路ブロック図。
【図４】デジタル写真プリント装置の機能ブロック図。
【図５】広告配信サーバの回路ブロック図。
【図６】広告配信サーバの機能ブロック図。
【符号の説明】
【００５９】
１  デジタル写真プリントシステム
２  デジタル写真プリント装置
２０  制御部
２１  モニタ
２２  操作部
２３  プリント部
２４  ＩＣカードリーダ
２５  ネットワークインターフェース
２６  メモリカードインターフェース
２００  ユーザ認証手段
２０１  広告データ要求手段
２０２  写真データ取得手段
２０３  合成データ生成手段
２０４  プリント手段
３  広告配信サーバ
３０  制御部
３１  ネットワークインターフェース
３２  データ記憶装置
３００  ユーザ属性情報取得手段
３０１  広告データ検索手段
３０２  広告データ送信手段
３０３  広告データベース
４  ネットワーク
５  ＩＣカード
【図１】
2010049423.tif 000003
【図２】
2010049423.tif 000004
【図３】
2010049423.tif 000005
【図４】
2010049423.tif 000006
【図５】
2010049423.tif 000007
【図６】
2010049423.tif 000008